(57)【要約】【課題】動的ＤＮＳサービスによりＩＰアドレスを取得した時点から相手先の通信装置と接続するまでの間に、取得したＩＰアドレスが割り当てられている相手先の通信装置が入れ替わることにより生じる誤送信を防止することができる通信装置を提供すること。【解決手段】動的ＤＮＳサービス１８の利用により、ドメイン名を提示して動的ＩＰアドレスを取得する動的ＩＰアドレス取得手段と、該手段により取得した動的ＩＰアドレスが割り当てられている相手先の通信装置１Ｂ又は１Ｃと接続して、前記ドメイン名に静的に割り当てられた識別子を送信する識別子送信手段と、前記相手先の通信装置２０から前記識別子に対する所定の受信許可応答を受信した場合に、同相手先の通信装置２０へ実体データの送信を行う手段と、を備える通信装置１Ａ。【選択図】図１
2005303914.tif 000002
【特許請求の範囲】
【請求項１】
ＤＮＳサービスの利用により、ドメイン名を提示してＩＰアドレスを取得するＩＰアドレス取得手段と、該手段により取得したＩＰアドレスが割り当てられている相手先の通信装置と接続して、前記通信装置に静的に割り当てられた識別子を送信する識別子送信手段と、前記相手先の通信装置から前記識別子に対する所定の受信許可応答を受信した場合に、同相手先の通信装置へ実体データの送信を行う手段と、を備えることを特徴とする通信装置。
【請求項２】
前記ＤＮＳサービスは動的ＤＮＳサービスであり、前記ＩＰアドレスは動的ＩＰアドレスであることを特徴とする請求項１記載の通信装置。
【請求項３】
自装置に静的に割り当てられた識別子を記憶する記憶手段と、送信されてきたデータから識別子を検出する検出手段と、検出した識別子と前記記憶手段が記憶する前記識別子とが一致する場合に、送信されてきた識別子の送信元通信装置に対して所定の受信許可応答を返信する手段と、を備えることを特徴とする通信装置。
【請求項４】
ＤＮＳサービスの利用により、ドメイン名を提示してＩＰアドレスを取得するＩＰアドレス取得手段、該手段により取得したＩＰアドレスが割り当てられている相手先の通信装置と接続して、前記通信装置に静的に割り当てられた識別子を送信する識別子送信手段、前記相手先の通信装置から前記識別子に対する所定の受信許可応答を受信した場合に、同相手先の通信装置へ実体データの送信を行う手段、としてコンピュータを機能させることを特徴とするプログラム。
【発明の詳細な説明】
【技術分野】
【０００１】
本発明は、Peer  to  Peer型のＩＰ（Internet  Protocol）通信を行う通信装置に関し、詳しくは、ＤＮＳ（Domain  Name  System）サービス又は動的ＤＮＳサービスにより、宛先ドメイン名を提示して取得したＩＰアドレスに対してデータ送信を行う送信側通信装置及び前記データを受信する受信側通信装置に関する。
【背景技術】
【０００２】
ＩＰ通信を行う通信装置では、相手先とデータ通信を行う場合に、動的ＤＮＳサービスを利用して、宛先ＩＰアドレスを取得する場合がある。動的ＤＮＳサービスは、動的ＤＮＳサーバと、動的ＤＮＳをサポートするＤＨＣＰ（Dynamic  Host  Configuration  Protocol）サーバが連携することによって実現される。動的ＤＮＳサーバは、ＤＨＣＰサーバと随時双方向に情報を転送して、ＤＨＣＰクライアントのドメイン名とそのＩＰアドレスの情報をＤＮＳサーバのゾーン・ファイルに追加、削除することで、ＤＨＣＰサーバが動的に割り当てた最新のＩＰアドレスがＤＮＳクライアントとなる通信装置に提供されるようになっている。したがって、宛先通信装置のドメイン名に割り当てられたＩＰアドレスが動的ＩＰアドレスであっても、当該ドメイン名を有する宛先通信装置と接続してデータ通信を行うことができる。
【０００３】
なお、特許文献１には、ＤＮＳサービスにより取得したＩＰアドレス宛てに電子メールを送信する通信装置が開示されている。
【特許文献１】特開２００３−２１６５４７号公報
【発明の開示】
【発明が解決しようとする課題】
【０００４】
ところが、動的ＤＮＳサービスにより取得したＩＰアドレス宛てにデータ送信を行う場合、ＤＮＳサーバに提示した宛先ドメイン名と異なるドメイン名を有する通信装置に誤って接続しデータ送信されることがある。これを例えば図３に示すような、インターネット１７上に動的ＤＮＳサービス１８（動的ＤＮＳサーバ１８及びＤＨＣＰサーバ１８）、ルータ１９乃至２１、各ルータ１９乃至２１にそれぞれ接続された通信装置２５乃至２７等からなるネットワーク環境を例に挙げて説明する。
【０００５】
図４に示すように、既に動的ＤＮＳサービス１８（ＤＨＣＰサーバ１８）によってＩＰアドレスＸが割り当てられている（Ｓ１）ルータ２０に接続されている通信装置２６に対して、通信装置２５がデータ送信をする場合、通信装置２５はルータ２０（通信装置２６）のドメイン名を動的ＤＮＳサーバに提示してそのドメイン名に割り当てられているＩＰアドレスＸを取得する（Ｓ２）。そして、取得したＩＰアドレスＸ宛てに例えば電子メール等のデータ送信を行う（Ｓ３）。
【０００６】
ところが、通信装置２５がＩＰアドレスＸを取得した時点（Ｓ２）からデータ送信（Ｓ３）を開始するまでの間に、図４に示すような処理動作（Ｓ４乃至Ｓ６）が発生した場合に問題が生じる。すなわち、前記の間に、ルータ２０にエラーが発生するなどしてルータ２０と動的ＤＮＳサービス１８（ＤＨＣＰサーバ１８）のアクセスが切断すると（Ｓ４）、動的ＤＮＳサービス１８（ＤＨＣＰサーバ１８）は、ルータ２０に割り当てていたＩＰアドレスＸを空き状態に設定する（Ｓ５）。そして、他のルータ２１が動的ＤＮＳサービス１８（ＤＨＣＰサーバ１８）に接続して空き状態になっているＩＰアドレスＸの割り当てを受けた場合に（Ｓ６）、通信装置２５は、ルータ２１に接続されている通信装置２６と同タイプの通信装置２７に対してデータを送信してしまうという問題が生じる。
【０００７】
また、静的ＤＮＳサービスにより取得した静的ＩＰアドレス宛てにデータ送信を行う場合であっても、相手先通信装置における設定変更等により当該相手先通信装置のＩＰアドレスが変更されることもあり得る。
【０００８】
本発明は、かかる課題に鑑みてなされたものであり、ＤＮＳサービスによりＩＰアドレスを取得した時点から相手先の通信装置と接続するまでの間に、取得したＩＰアドレスが割り当てられている相手先の通信装置が入れ替わることにより生じる誤送信を防止することを可能とする通信装置を提供することを目的とする。
【課題を解決するための手段】
【０００９】
上記目的を達成するために、請求項１記載の通信装置は、ＤＮＳサービスの利用により、ドメイン名を提示してＩＰアドレスを取得するＩＰアドレス取得手段と、該手段により取得したＩＰアドレスが割り当てられている相手先の通信装置と接続して、前記通信装置に静的に割り当てられた識別子を送信する識別子送信手段と、前記相手先の通信装置から前記識別子に対する所定の受信許可応答を受信した場合に、同相手先の通信装置へ実体データの送信を行う手段と、を備えることを特徴としている。
【００１０】
請求項２記載の通信装置は、請求項１記載の通信装置において、前記ＤＮＳサービスは動的ＤＮＳサービスであり、前記ＩＰアドレスは動的ＩＰアドレスであることを特徴としている。
【００１１】
請求項３記載の通信装置は、自装置に静的に割り当てられた識別子を記憶する記憶手段と、送信されてきたデータから識別子を検出する検出手段と、検出した識別子と前記記憶手段が記憶する前記識別子とが一致する場合に、送信されてきた識別子の送信元通信装置に対して所定の受信許可応答を返信する手段と、を備えることを特徴としている。
【００１２】
請求項４記載のプログラムは、ＤＮＳサービスの利用により、ドメイン名を提示してＩＰアドレスを取得するＩＰアドレス取得手段、該手段により取得したＩＰアドレスが割り当てられている相手先の通信装置と接続して、前記通信装置に静的に割り当てられた識別子を送信する識別子送信手段、前記相手先の通信装置から前記識別子に対する所定の受信許可応答を受信した場合に、同相手先の通信装置へ実体データの送信を行う手段、としてコンピュータを機能させることを特徴としている。
【発明の効果】
【００１３】
請求項１又は２記載の通信装置が請求項３記載の通信装置に対してデータ送信を行えば、送信側通信装置（請求項１又は２記載の通信装置）がＤＮＳサービスによりＩＰアドレスを取得して相手先の通信装置（請求項３記載の通信装置）と接続するまでの間に、ＩＰアドレスが割り当てられた相手先の装置が同様の装置（請求項３記載の通信装置）に入れ替わっても、送信側通信装置は、受信許可応答がない限り実体データの送信を行わないので、誤送信が防止される。
【００１４】
請求項４記載のプログラムをコンピュータに組み込んで実行することにより、請求項１記載の通信装置と同様の効果が奏される。
【発明を実施するための最良の形態】
【００１５】
以下本発明の実施の形態に係る通信装置として、ファクシミリ通信機能及びインターネットファクシミリ通信機能を備えるファクシミリ複合機を例に挙げて説明する。勿論、本発明は、ＤＮＳサービスにより取得したＩＰアドレスの相手先と直接接続してPeer  to  Peer型のデータ通信を行う通信装置であれば、上記ファクシミリ複合機に限らず、その他のタイプの通信装置にも適用可能である。
【００１６】
図１にファクシミリ複合機１の構成例を示す。すなわち、ファクシミリ複合機１は、ＣＰＵ（中央処理装置）２、ＲＯＭ（リードオンリーメモリー）３、ＲＡＭ（ランダムアクセスメモリー）４、画像メモリ５、モデム６、ＮＣＵ７、コーデック８、読取部９、記録部１０、表示部１１、操作部１２、ＬＡＮインタフェース１３を備え、各部２乃至１３はバス１４によって接続されている。
【００１７】
ＣＰＵ２は、ＲＯＭ３に格納された制御プログラムに従って、このファクシミリ複合機１を構成する各部を制御する制御手段として機能する。ＲＯＭ３は、前記制御プログラム等を格納している。ＲＡＭ４は、ＣＰＵ２の主メモリ、ワークエリア等として機能する。また、ＲＡＭ４には、宛先ドメイン名（宛先ドメイン名の代わりに宛先メールアドレスでもよい。）と識別子を対応付けて記憶する宛先識別子テーブル４ａと、自装置１の識別子４ｂと、後述するＩＰアドレス再取得回数「Ｋ」の値４ｃとが格納されている。前記識別子としては、各通信装置に静的（不変的）に割り当てられた各装置に固有の情報が適用され、本実施の形態では、かかる情報として通信装置１に割り当てられた電話番号（ファクシミリ番号）が適用されている。
【００１８】
画像メモリ５は、コーデック８によって圧縮符号化された画像データ等を記憶する。モデム６は、例えばＩＴＵ−Ｔ（国際電気通信連合）の勧告Ｖ．３４規格又はこれと同様のものに従った送受信データの変調及び復調を行う。ＮＣＵ７は、ＰＳＴＮ（公衆交換電話網）１５との回線の閉結及び開放の動作を行う回線網制御装置であり、必要に応じてモデム６をＰＳＴＮ１５と接続する。コーデック８は、ファクシミリ送信等に際して、画像データを、ＪＰＥＧ方式又はＭＨ、ＭＲ、ＭＭＲ方式等により圧縮符号化する。また、受信した画像データ等を復号する。
【００１９】
読取部９は、原稿の画像データを読取るものであり、例えば、ＣＣＤカラーラインセンサ、Ａ／Ｄコンバータ、画像処理回路等で構成される。記録部１０は、給紙カセットから記録紙を取り出して、受信画像データ、読取画像データ等を記録紙上に記録する。表示部１１は、例えば操作部１２に並設されたＬＣＤ（Ｌｉｑｕｉｄ  Ｃｒｙｓｔａｌ  Ｄｉｓｐｌａｙ）からなり、各種の画面情報を表示する。操作部１２は、各種の操作キーなどを具備し、ユーザによる各種の操作は、この操作部７において行われる。
【００２０】
ＬＡＮインタフェース１３は、ファクシミリ複合機１とＬＡＮ（ローカルエリアネットワーク）１６とを接続するインターフェースであり、これを通じてファクシミリ複合機１は、同じくＬＡＮ１６に接続されたクライアントＰＣ（不図示）、ルータ１７と通信を行う。更にはルータ１７を通じてインターネット１８上の他の通信装置と通信を行う。
【００２１】
上記構成を備えるファクシミリ複合機１は、ＳＭＴＰサーバ機能を備えており、従って、読取部９により読取った原稿の画像データ等を電子メールに添付して送信するインタネットファクシミリ通信機能を備える。また、前記原稿の画像データ等をＰＳＴＮ１５を通じて送信するＧ３ファクシミリ通信機能をも備えている。
【００２２】
次に上記構成及び機能を備えるファクシミリ複合機１同士が互いにインターネットファクシミリにて実体データの送受信をする際の処理動作について図２に示すフローチャートに基づいて説明する。なお、このフローチャートに基づいて説明する処理動作は、それぞれのファクシミリ複合機１のＲＯＭ３等に記憶された制御プログラムに基づいて制御手段であるＣＰＵ２が発行する命令に従って実行される。本明細書及び特許請求の範囲においては、電子メールや画像データのように、送信側から受信側へ伝送すべき実体的な内容を含むデータを実体データという。
【００２３】
以下、説明の便宜上、実体データの送信側となるファクシミリ複合機１を送信側ファクシミリ複合機１Ａ、実体データの受信側となるファクシミリ複合機１を受信側ファクシミリ複合機１Ｂ又は１Ｃと称し、送信側ファクシミリ複合機１Ａが、ＤＮＳサービス１８の利用により、受信側ファクシミリ複合機１Ｂの宛先ドメイン名「ＲＯＵＴＥＲ２．ＣＯＭ」を提示して取得したＩＰアドレスに対して接続処理を行う場合を例に挙げて説明する。
【００２４】
送信側ファクシミリ複合機１Ａにおいて、ユーザ等により宛先メールアドレスが指定され、実体データの送信処理を開始すべき指示がなされると、ＲＡＭ４において変数「Ｉ」に「０」が設定され（Ｓ１０１）、読取部３にセットされた原稿の画像データの読取処理等の送信処理が起動される（Ｓ１０２）。
【００２５】
次いで、送信側ファクシミリ複合機１Ａは、動的ＤＮＳサービス１８に対して宛先メールアドレスのドメイン名を提示して、それに対応するＩＰアドレスを問合せる（Ｓ１０３）。動的ＤＮＳサービス１８からＩＰアドレスを取得できた場合は（Ｓ１０４：ＹＥＳ）、取得したＩＰアドレスが割り当てられている相手先ルータ１Ｂ又は１Ｃを通じて同ルータ１Ｂ又は１Ｃに接続されているファクシミリ複合機１Ｂ又は１Ｃに対して接続要求を行う（Ｓ１０５）。相手先のファクシミリ複合機１Ｂ又は１Ｃと接続できた場合は（Ｓ１０６：ＹＥＳ）、宛先識別子テーブル４ａにおいて、Ｓ１０３において動的ＤＮＳサービス１８に提示したドメイン名に対応付けて記憶されている識別子を接続した受信側ファクシミリ複合機１Ｂ又は１Ｃに対して送信する（Ｓ１０７）。なお、Ｓ１０７では、受信側ファクシミリ複合機１Ｂ又は１Ｃへ送信される識別子は、宛先識別子テーブル４ａに登録されているものが適用されているが、送信操作に伴って識別子を操作部１２等からユーザが指定できるようにし、指定された識別子を宛先識別子テーブル４ａに登録されている識別子に代えて送信するようにしてもよい。識別子が電話番号である場合は、ユーザ自身が記憶している電話番号やファクシミリ複合機１に登録されている電話帳から簡単に指定することが可能となる。
【００２６】
送信側ファクシミリ複合機１Ａは、前記Ｓ１０７で送信した識別子に対する応答として所定の受信許可応答を受信した場合（Ｓ１０８：ＹＥＳ）、読取部９により読取った原稿の画像データ等の実体データを生成して当該受信側ファクシミリ複合機１Ｂに対して送信する処理を行い（Ｓ１０９）、正常に実体データの送信処理が終了した場合には（Ｓ１１０：ＹＥＳ）、一連の処理動作を完了する。一方、送信側ファクシミリ複合機１Ａは、前記Ｓ１０７で送信した識別子に対する応答として所定の受信拒否応答を受信した場合（Ｓ１０８：ＮＯ）、前記Ｓ１０３へ処理が戻る。なお、Ｓ１０８においては、所定の受信拒否応答を受信した場合に否定判断しているが、所定の受信許可応答が一定時間検出されなかった場合に否定判断するようにしてもよい。
【００２７】
送信側ファクシミリ複合機１Ａは、前記Ｓ１０４において、ＩＰアドレスを取得できなかった場合（Ｓ１０４：ＮＯ）、及び、前記Ｓ１０６においてファクシミリ複合機１Ｂ又は１Ｃと接続できなかった場合は（Ｓ１０６：ＮＯ）、変数「Ｉ」がＲＡＭ４に記憶しているＩＰアドレス再取得回数「Ｋ」の値４ｃ未満であるか否かを判断し（Ｓ１１１）、変数「Ｉ」が「Ｋ」未満である場合は（Ｓ１１１：ＹＥＳ）、変数「Ｉ」に「１」を加算して（Ｓ１１２）、前記Ｓ１０３へ処理動作が戻る。なお、Ｓ１０４においてＩＰアドレスを取得できない場合、Ｓ１０６において受信側ファクシミリ複合機１Ｂ又は１Ｃと接続できない場合としては、相手先ルータ２０又は２１にエラーが発生し、同ルータ２０又は２１と動的ＤＮＳサービス１８（ＤＨＣＰサーバ１８）とのアクセスが切断し、動的ＤＮＳサービス１８（ＤＨＣＰサーバ１８）がルータ１Ｂに割り当てていたＩＰアドレスが空き状態に設定された場合などである。
【００２８】
前記Ｓ１１１において変数「Ｉ」がＲＡＭ４に記憶しているＩＰアドレス再取得回数「Ｋ」の値４ｃ以上である場合（Ｓ１１１：ＮＯ）、及び、前記Ｓ１１０において正常に実体データの送信処理を行うことができなかった場合は（Ｓ１１０：ＮＯ）、宛先識別子テーブル４ａにおいて、Ｓ１０３で動的ＤＮＳサービス１８に提示したドメイン名に対応付けて記憶されている識別子を宛先ファクシミリ番号として指定して、読取部９により読取った原稿の画像データをＧ３ファクシミリ通信により受信側ファクシミリ複合機１Ｂに対して送信処理を行い（Ｓ１１３）、正常にファクシミリ送信処理が終了した場合は（Ｓ１１４：ＹＥＳ）、一連の処理動作を完了する。正常にファクシミリ送信処理が終了しなかった場合は（Ｓ１１４：ＮＯ）、通信エラーレポートを記録部１０から印字出力したり、通信エラー表示を表示部１１に行う等の通信エラー処理を行う（Ｓ１１５）。
【００２９】
一方、受信側ファクシミリ複合機１Ｂ又は１Ｃは、送信側ファクシミリ複合機１Ａから送信されてきたデータから識別子を検出するとともに（Ｓ２０１）、検出した識別子と自装置がＲＡＭ４に記憶している識別子４ｂとが一致するか否かを判断する（Ｓ２０２）。
【００３０】
受信側ファクシミリ複合機が、送信側ファクシミリ複合機がＤＮＳサービス１８に提示したドメイン名（「ＲＯＵＴＥＲ２．ＣＯＭ」）を有するファクシミリ複合機１Ｂである場合は、受信側ファクシミリ複合機１Ｂが自装置１Ｂに記憶している識別子４ｂと送信側ファクシミリ複合機１Ａから送られてきた識別子とは一致し（Ｓ２０２：ＹＥＳ）、同受信側ファクシミリ複合機１Ｂは、受信許可応答として所定の情報を送信側ファクシミリ複合機１Ａに返信する（Ｓ２０３）。
【００３１】
受信側ファクシミリ複合機が、送信側ファクシミリ複合機がＤＮＳサービス１８に提示したドメイン名（「ＲＯＵＴＥＲ２．ＣＯＭ」）と異なるドメイン名（「ＲＯＵＴＥＲ３．ＣＯＭ」など）を有するファクシミリ複合機１Ｃである場合は、受信側ファクシミリ複合機１Ｃが自装置１Ｃに記憶している識別子４ｂと送信側ファクシミリ複合機１Ａから送られてきた識別子とが一致しないので（Ｓ２０２：ＮＯ）、同受信側ファクシミリ複合機１Ｃは、受信拒否応答として所定の情報（前記受信許可応答時に返信する情報とは異なる情報）を送信側ファクシミリ複合機１Ａに返信する（Ｓ２０４）。なお、前記Ｓ２０４においては、受信許可応答として所定の情報を送信側ファクシミリ複合機１Ａに返信するが、前述したように、Ｓ１０８で送信側ファクシミリ複合機１Ａが、所定の受信許可応答が一定時間無かった場合に否定判断するものである場合は、前記Ｓ２０４の処理動作を省略する。
【００３２】
以上説明したように、本発明の実施の形態に係るファクシミリ複合機１によれば、動的ＤＮＳサービスにより動的ＩＰアドレスを取得した時点から受信側通信装置と接続するまでの間に、取得した動的ＩＰアドレスが割り当てられている相手先の通信装置がファクシミリ複合機１Ｂからその他のファクシミリ複合機１Ｃに入れ替わっても、送信側ファクシミリ複合機１Ａは、受信許否応答の受信や受信許可応答がないことによって、接続した相手先のファクシミリ複合機１ＣがＩＰアドレスを取得した当初のファクシミリ複合機１Ｂと入れ替わっていることを検出し、実体データの送信を取り止めることができるので、従来発生していた実体データの誤送信を防止することができる。
【００３３】
また、送信側ファクシミリ複合機１Ａは、Ｓ１０８で受信許可応答が無かった場合、Ｓ１０４でＩＰアドレスを取得できなかった場合、及び、Ｓ１０６で相手先との接続に失敗した場合に、処理手順をＳ１０３に戻して、動的ＩＰアドレスの再取得を試みるので、相手先のルータ２０のエラーが回復し、同ルータ２０が動的ＤＮＳサービス１８（ＤＨＣＰサーバ１８）に接続した時点で自動的に相手先ルータ２０に接続されているファクシミリ複合機１Ｂと通信を開始することができるので、ユーザが再送信をするための操作の手間が省かれる。また、一定時間の間に相手先ルータ２０のエラーが回復しない場合は、ファクシミリ通信によって、原稿データ（実体データ）が相手先ファクシミリ複合機１Ｂに自動的に送信されるので自装置側又は相手側のネットワークに発生した障害が長時間復旧しない場合に便利である。
【００３４】
上記実施形態では、送信側通信装置１Ａが動的ＤＮＳサービスにより相手先の通信装置の動的ＩＰアドレスを取得して通信する場合について説明したが、動的ＤＮＳサービス１８を静的ＤＮＳサービスとし、送信側通信装置が相手先の通信装置のＩＰアドレスとして静的なものを取得して上記と同様の処理動作を実行するようにしてもよい。これにより、例えば、送信側通信装置１Ａが静的ＤＮＳサービスにより相手先装置のＩＰアドレスを取得した時点から同相手先装置と接続するまでの間に、当該相手先の通信装置のＩＰアドレスが設定変更等により別のＩＰアドレスに変更されても識別子さえ変更されなければ、誤送信が防止される。
【００３５】
なお、上述したファクシミリ複合機１の処理動作（Ｓ１０１乃至１１５、Ｓ２０１乃至２０５）を実行するために、ＣＰＵ２がＲＯＭ３から読み出して実行する制御プログラムは、コンピュータ（例えばパソコン）用のファクシミリ通信ソフトに組み込んで上記ファクシミリ複合機１と同様の処理動作を実行することも勿論可能である。
【００３６】
また、本実施の形態においては、ＩＰ通信の一例としてＳＭＴＰによるインターネットファクシミリ通信を例に挙げて説明したが動的ＤＮＳサービスを利用してデータ通信を行う通信装置であれば、その他の通信プロトコルを使用するものであっても適用可能である。
【産業上の利用可能性】
【００３７】
本発明は、例えば、動的ＤＮＳサービスにより取得したＩＰアドレスの相手先とPeer  to  Peer型のデータ通信を行う通信装置に適用することができる。
【図面の簡単な説明】
【００３８】
【図１】本発明の実施の形態に係るファクシミリ複合機（通信装置）の構成例、及び複数のファクシミリ複合機（通信装置）が動的ＤＮＳサービスを利用してデータ通信する場合のネットワーク環境の一例を示した図である。
【図２】本発明の実施の形態に係るファクシミリ複合機（通信装置）同士でデータ送受信する際に実行する処理動作を示したフローチャートである。
【図３】従来例に係る通信装置が動的ＤＮＳサービスを利用してデータ通信を実行する際に生じる問題点を説明するために例示したネットワーク環境を示す図である。
【図４】従来例に係る通信装置が動的ＤＮＳサービスを利用してデータ通信を実行する際に問題となる処理手順の一例を示した図である。
【符号の説明】
【００３９】
１、１Ａ乃至１Ｃ    ファクシミリ複合機（通信装置）
２    ＣＰＵ
３    ＲＯＭ
４    ＲＡＭ
４ａ    宛先識別子テーブル
４ｂ  識別子
１８    動的ＤＮＳサービス
【図１】
2005303914.tif 000003
【図２】
2005303914.tif 000004
【図３】
2005303914.tif 000005
【図４】
2005303914.tif 000006